(57)【要約】【課題】造営材に形成された取付穴に板バネを用いて取り付けられる照明器具であって、取り付けの際に生じる板バネの塑性変形を抑制できる照明器具を提供する。【解決手段】造営材９００に形成された取付穴９１０に取り付けられる照明器具１０であって、光源５０と、光源５０が取り付けられる器具本体２０と、器具本体２０を支持する固定枠３０と、器具本体２０を取付穴９１０に固定する板バネ８０とを備え、板バネ８０は、第一板部８１と、第二板部８２と、第一板部８１及び第二板部８２を接続し、屈曲形状を有する接続部８３とを備え、第一板部８１は、湾曲形状を有し、接続部８３は、第一板部８１の湾曲形状の曲率半径より小さい曲率半径で曲げられている。【選択図】図５
2018077993.tif 000002
【特許請求の範囲】
【請求項１】
造営材に形成された取付穴に取り付けられる照明器具であって、
光源と、
前記光源が取り付けられる器具本体と、
前記器具本体を支持する固定枠と、
前記固定枠を前記取付穴に固定する板バネとを備え、
前記板バネは、第一板部と、第二板部と、前記第一板部及び前記第二板部を接続し、屈曲形状を有する接続部とを備え、
前記第一板部は、湾曲形状を有し、
前記接続部は、前記第一板部の前記湾曲形状の曲率半径より小さい曲率半径で曲げられている
照明器具。
【請求項２】
前記接続部には、前記接続部を厚さ方向に貫通する開口部が形成されている
請求項１に記載の照明器具。
【請求項３】
前記開口部は、前記板バネの長手方向に沿って延びる長辺を有する
請求項２に記載の照明器具。
【請求項４】
前記開口部は、前記板バネの長手方向に沿って延びる角穴である
請求項２又は３に記載の照明器具。
【発明の詳細な説明】
【技術分野】
【０００１】
本発明は、板バネを用いて造営材に取り付けられる照明器具に関する。
【背景技術】
【０００２】
従来、照明器具として、例えば、ダウンライトのように天井板等の造営材に埋め込み配設されて鉛直方向下向きに光を出射する天井埋込型の照明器具等が知られている。
【０００３】
この種の照明器具は、光源と、光源が取り付けられる器具本体と、造営材に形成された取付穴の周縁に配置される環状の固定枠と、一端が固定枠に取り付けられた複数の板バネとを備える（例えば特許文献１など参照）。特許文献１に記載された照明器具は、固定枠（及び造営材）に対する器具本体の取り付け角度、すなわち、光軸の方向を変えることができる、いわゆるユニバーサルダウンライトである。
【０００４】
特許文献１に記載された照明器具においては、各板バネが二つの円弧部を有し、器具本体に近い側の円弧部を器具本体に近づく向きに弾性変形させて造営材に当接させる。これにより、板バネが造営材を押す力が働く。特許文献１に記載された照明器具においては、この力を用いて照明器具を造営材に固定している。板バネの二つの円弧部を接続する部分は、折り曲げられ、板バネの固定されていない側の端部（以下、「自由端」とも呼ぶ。）は鉛直方向下向きに向けられる。これにより、照明器具の光軸の方向を変えるために器具本体の造営材に対する角度を変える場合に、板バネと器具本体とが干渉することを抑制できる。
【先行技術文献】
【特許文献】
【０００５】
【特許文献１】特開２０１５−１３５７４３号公報
【発明の概要】
【発明が解決しようとする課題】
【０００６】
特許文献１に記載されたような照明器具を造営材に取り付ける際には、まず、造営材に形成された取付穴に、器具本体とともに板バネの自由端を挿入する。板バネの自由端を取付穴に挿入する際には、自由端が造営材と干渉することを抑制するために、板バネを変形させることによって、自由端を器具本体の側面に近づける。ここで、板バネの自由端を鉛直方向下向きに向けるように二つの円弧部を接続する部分が折り曲げられていることから、板バネの自由端を器具本体側に向けて変形させるには、二つの円弧部を接続する部分の折り曲げ角を拡げる向きに力を加える必要がある。しかしながら、この場合、当該力が大きいため、板バネを変形させる力が働いていないときの円弧部の湾曲の向きと逆向きに、円弧部が湾曲させられる。これにより、照明器具を造営材に取り付ける際に、円弧部が塑性変形する場合がある。このため、照明器具を取り付けた際に板バネの円弧部が造営材を押す力が低下し得る。
【０００７】
そこで、本発明は、造営材に形成された取付穴に板バネを用いて取り付けられる照明器具であって、取り付けの際に生じる板バネの塑性変形を抑制できる照明器具を提供することを目的とする。
【課題を解決するための手段】
【０００８】
上記目的を達成するために、本発明に係る照明器具の一態様は、造営材に形成された取付穴に取り付けられる照明器具であって、光源と、前記光源が取り付けられる器具本体と、前記器具本体を支持する固定枠と、前記固定枠を前記取付穴に固定する板バネとを備え、前記板バネは、第一板部と、第二板部と、前記第一板部及び前記第二板部を接続し、屈曲形状を有する接続部とを備え、前記第一板部は、湾曲形状を有し、前記接続部は、前記第一板部の前記湾曲形状の曲率半径より小さい曲率半径で曲げられている。
【発明の効果】
【０００９】
本発明の一態様によれば、造営材に形成された取付穴に板バネを用いて取り付けられる照明器具であって、取り付けの際に生じる板バネの塑性変形を抑制できる照明器具を提供することができる。
【図面の簡単な説明】
【００１０】
【図１】図１は、実施の形態に係る照明器具の外観を示す斜視図である。
【図２】図２は、実施の形態に係る照明器具の断面図である。
【図３】図３は、実施の形態に係る照明器具の光軸の方向を傾斜させた状態における断面図である。
【図４】図４は、実施の形態に係る板バネの外観を示す斜視図である。
【図５】図５は、実施の形態に係る板バネの外観を示す側面図である。
【図６】図６は、実施の形態に係る照明器具を造営材に取り付ける際における板バネの形状を示す斜視図である。
【図７】図７は、実施の形態に係る照明器具を造営材に取り付けた状態を示す斜視図である。
【図８】図８は、比較例に係る板バネの外観を示す側面図である。
【図９】図９は、実施の形態に係る板バネ、及び、比較例に係る板バネを変形させた場合の外観を示す側面図である。
【発明を実施するための形態】
【００１１】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．全体構成］
実施の形態に係る照明器具１０の全体構成について、図面を用いて説明する。
【００１４】
図１は、本実施の形態に係る照明器具１０の外観を示す斜視図である。図２及び図３は、本実施の形態に係る照明器具１０の断面図である。図２及び図３は、照明器具１０の光軸Ｊを通る断面を示している。図３では、照明器具１０の光軸Ｊの方向を傾斜させた状態における断面図が示されている。
【００１５】
なお、各図において、図２に示される光軸Ｊの方向に平行な方向をＺ軸方向、Ｚ軸方向に垂直で互いに直交する２つの方向をＸ軸方向及びＹ軸方向としている。なお、本実施の形態では、Ｚ軸方向が鉛直方向であり、照明器具１０は鉛直方向下向きに光を出射する。
【００１６】
図１及び図２に示される照明器具１０は、造営材に形成された取付穴に取り付けられる照明器具である。照明器具１０は、例えば建物の天井板等の造営材に埋め込み配設されることにより下方（床や壁等）に光を照明するダウンライト等の埋込型照明器具である。本実施の形態では、照明器具１０は、造営材に対して光軸方向を傾斜させることができる、いわゆるユニバーサルダウンライトである。図２には、照明器具１０の光軸Ｊが造営材の取付面に対して垂直な方向となる場合の断面図が示されている。
【００１７】
図２に示されるように、照明器具１０は、主に、光源５０と、器具本体２０と、接続部材２６と、回動枠２８と、固定枠３０と、板バネ８０とを備える。照明器具１０は、さらに、反射部材５２と、光学部材５４と、補助反射部材５６とを備える。なお、図示しないが、光源５０などは、ねじなどの固定用部材で器具本体２０に取り付けられている。
【００１８】
以下、照明器具１０の各構成要素について説明する。
【００１９】
［１−１．器具本体］
図１及び図２に示される器具本体２０は、照明器具１０の本体部分であり、光源５０が取り付けられる。器具本体２０は、取付台２２と、筒状部材２４とを備える。
【００２０】
取付台２２は、光源５０が取り付けられる台として機能する部材である。取付台２２には、複数のフィンが形成されている。取付台２２においては、光源５０で発生した熱が複数のフィンに伝達し、複数のフィンにおいて放散される。つまり、取付台２２は、光源５０の熱を放散させるヒートシンクとしても機能する。
【００２１】
筒状部材２４は、光源５０及び光軸Ｊの周囲を囲む部材であり、筒状の形状を有する。本実施の形態では、筒状部材２４は、円筒状の形状を有する。筒状部材２４の一方の開口端部には、取付台２２が配置され、当該開口端部が塞がれる。これにより、器具本体２０には、筒状部材２４と取付台２２とで凹部２３が形成される。この凹部２３内に光源５０などが配置される。
【００２２】
取付台２２及び筒状部材２４を形成する材料は、特に限定されない。取付台２２及び筒状部材２４は、例えば、アルミニウムなどによって形成される。
【００２３】
［１−２．光源］
図２に示される光源５０は、照明器具１０から出射される光を生成する発光モジュールである。光源５０は、所定の光を放射状に出射する。本実施の形態では、光源５０は、ＬＥＤ（Ｌｉｇｈｔ  Ｅｍｉｔｔｉｎｇ  Ｄｉｏｄｅ）を有する発光モジュールである。光源５０は、例えば白色光を出射するように構成されている。光源５０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数の青色ＬＥＤと、それら青色ＬＥＤを封止し、黄色蛍光体を含む封止部材とを備える。
【００２４】
光源５０に用いられる基台は、複数のＬＥＤを実装するための実装基板であって、例えばセラミックス基板、樹脂基板又は絶縁被覆されたメタルベース基板などである。また、基台は、例えば平面視において矩形状である平面を有する板材である。基台は、底面（Ｚ軸方向正側の面）を器具本体２０の取付台２２に向けて固定される。なお、図示しないが、基台には、ＬＥＤを発光させるための直流電力を外部から受電するための一対の電極端子（正電極端子及び負電極端子）が形成されている。
【００２５】
［１−３．固定枠］
図１及び図２に示される固定枠３０は、器具本体２０を支持し、造営材に形成された取付穴に固定される部材である。固定枠３０は、造営材に形成された取付穴の内周に沿って配置され、板バネ８０によって取付穴に固定される。固定枠３０は、回動枠２８を固定枠３０に対して回動自在に支持する。また、回動枠２８には、接続部材２６が取り付けられており、接続部材２６には、器具本体２０が取り付けられている。このように固定枠３０は、回動枠２８及び接続部材２６を介して器具本体２０を支持する。
【００２６】
本実施の形態では、図２に示されるように、固定枠３０は、補助反射部材５６を介して回動枠２８を支持する。固定枠３０は、取付穴に対応する環状の形状を有し、補助反射部材５６のＺ軸方向における位置を規制する環状の規制部３１を有する。規制部３１は、固定枠３０から光軸向きに突出する円環状の部分である。
【００２７】
また、図１及び図２に示されるように固定枠３０は、造営材と当接する鍔状部２９を有する。鍔状部２９は、固定枠３０から外側向きに（つまり、図２における光軸Ｊから遠ざかる向きに）突出する円環状の部分である。鍔状部２９と、板バネ８０との間で造営材を挟持することで、照明器具１０を造営材に固定することができる。
【００２８】
固定枠３０を形成する材料は、特に限定されない。固定枠３０は、例えば、アルミニウムなどによって形成される。
【００２９】
［１−４．回動枠］
図１及び図２に示される回動枠２８は、固定枠３０に配置され、かつ、造営材に形成された取付穴を貫く軸を中心に固定枠３０に対して回動自在である環状部材である。本実施の形態では、回動枠２８は、図２に示される光軸Ｊを中心に回動する。回動枠２８には、接続部材２６が取り付けられており、接続部材２６には、器具本体２０が取り付けられている。このように、回動枠２８は、接続部材２６を介して器具本体２０を支持する。
【００３０】
回動枠２８を形成する材料は、特に限定されない。回動枠２８は、例えば、アルミニウムなどによって形成される。
【００３１】
［１−５．接続部材］
図１及び図２に示される接続部材２６は、器具本体２０と回動枠２８とを接続する部材である。本実施の形態では、図１に示されるように、二つの接続部材２６は、それぞれボルト３４及びナット３５によって回動枠２８と締結され、ねじ３２によって器具本体２０と締結される。また、ボルト３４の回転軸を中心として、接続部材２６の回動枠２８に対する取付角度を調整できる。一方、接続部材２６の器具本体２０に対する取付角度は固定されている。したがって、図３に示されるように、接続部材２６の回動枠２８に対する取付角度を調整することにより、器具本体２０の回動枠２８に対する取付角度を調整できる。器具本体２０の回動枠２８に対する取付角度を調整することにより、光軸Ｊを通り、ボルト３４の回転軸に垂直な平面内において光軸Ｊの方向を調整できる。さらに、回動枠２８は、固定枠３０に対して回動自在であることから、回動枠２８の回動に伴って、接続部材２６と回動枠２８とを締結するボルト３４も回動する。これに伴い、上述の光軸Ｊを通りボルト３４の回転軸に垂直な平面も回動させることができる。
【００３２】
接続部材２６を形成する材料は、特に限定されない。接続部材２６は、例えば、アルミニウムなどによって形成される。
【００３３】
［１−６．板バネ］
図１及び図２に示される板バネ８０は、固定枠３０を造営材に形成された取付穴に固定する弾性部材である。本実施の形態では、固定枠３０にボルト３８を用いて取り付けられた三つの板バネ８０によって、固定枠３０が取付穴に固定される。以下、板バネ８０について図面を用いて詳細に説明する。
【００３４】
図４及び図５は、それぞれ本実施の形態に係る板バネ８０の外観を示す斜視図及び側面図である。
【００３５】
図４及び図５に示されるように、板バネ８０は、取付板部８８と、第一板部８１と、第二板部８２と、接続部８３と、爪状部８７とを備える。
【００３６】
取付板部８８は、板バネ８０の二つの端部のうち、固定枠３０に固定される側の端部である。本実施の形態では、図４に示されるように、取付板部８８は、平板状の形状を有し、図１に示されるボルト３８を挿入するための貫通孔が形成されている。ボルト３８を、当該貫通孔を介して固定枠３０に形成されたねじ穴に捻じ込むことによって、取付板部８８が固定枠３０に固定される。第一板部８１は、造営材の取付穴に当接される部分であり、板バネ８０の取付板部８８と接続部８３との間に位置する。本実施の形態では、第一板部８１は、湾曲形状を有する。より詳しくは、図５に示される第一板部８１の長手方向の側面形状が円弧状となるように第一板部８１が曲げられている。これにより、照明器具１０を造営材に形成された取付穴に取り付ける際に、第一板部８１を弾性変形させた状態で造営材の取付穴の角部に当接させることができる。したがって、第一板部８１が造営材を押す力によって、照明器具１０が取付穴から離脱することを抑制できる。なお、第一板部８１は、単一の曲率半径で湾曲していなくてもよい。つまり、第一板部８１の位置に応じて曲率半径が異なってもよい。第一板部８１の湾曲形状の曲率半径は、照明器具１０の重量、板バネ８０の材質及び板厚、造営材の厚さなどに応じて適宜設定されればよい。第一板部８１の湾曲形状の曲率半径は、例えば２５ｍｍ程度である。第一板部８１の湾曲形状の曲率半径は、例えば、１０ｍｍ以上１００ｍｍ以下程度であってもよい。
【００３７】
第二板部８２は、接続部８３を介して第一板部８１に接続される部分である。本実施の形態では、第二板部８２は、平板状の形状を有する。つまり、図５に示されるように長手方向の側面の形状が直線状である。
【００３８】
接続部８３は、第一板部８１及び第二板部８２を接続し、屈曲形状を有する部分である。なお、ここで、「屈曲形状」は、曲げられた形状であることを意味し、所定の曲率半径で湾曲した形状、及び、曲率半径を有さない折り曲げ形状の両方を含む。本実施の形態では、接続部８３には、接続部８３を厚さ方向に貫通する開口部８４が形成されている。これにより、接続部８３における板幅（板バネ８０の長手方向に垂直な方向の幅）を実質的に低減することができるため、接続部８３を変形させるために要する力を低減できる。本実施の形態では、開口部８４は、板バネ８０の長手方向に沿って延びる長辺８４ａと、長手方向に対して垂直方向に延びる短辺８４ｂを有する角穴である。これにより、接続部８３の長手方向の各位置における全幅が一定である場合、接続部８３における実質的な板幅（つまり、板幅から開口部８４の幅を除いた長さ）を板バネ８０の長手方向において略一定とすることができるため、接続部８３を変形させる際に、接続部８３の長手方向の各位置における変形量をほぼ一様にすることができる。つまり、接続部８３が局所的に変形することを抑制できる。さらに、接続部８３は、第一板部８１の湾曲形状の曲率半径より小さい曲率半径で屈曲されている。言い換えると、接続部８３は、第一板部８１の湾曲形状の曲率（つまり、曲率半径の逆数）より大きい曲率で屈曲されている。さらに言い換えると、接続部８３は、第一板部８１から第二板部８２まで滑らかに湾曲した形状を有する。このように、所定の曲率半径で接続部８３が屈曲されていることにより、接続部８３が折り曲げられている場合より、屈曲された接続部８３を直線状に近づける向きに変形させるために要する力を低減できる。接続部８３の曲率半径は、特に限定されないが、板バネ８０の板厚より大きければよい。板バネの板厚は、特に限定されないが、例えば０．４ｍｍ程度である。本実施の形態では、接続部８３の曲率半径は、１０ｍｍ程度である。
【００３９】
爪状部８７は、板バネ８０の二つの端部のうち、自由端側の端部である。爪状部８７は、第二板部８２に接続されており、図２に示されるように、第二板部８２に対して鉛直方向下向きにほぼ直角に折り曲げられている。爪状部８７を造営材に形成された取付穴の引っ掛けることにより、照明器具１０を造営材から第二板部８２の長さ程度引き出した位置において仮留めすることができる。
【００４０】
板バネ８０を形成する材料は、弾性部材であれば特に限定されない。板バネ８０は、例えば鋼材、アルミニウムなどの金属材料で形成される。また、板バネ８０の湾曲形状及び屈曲形状は、例えば金型に板状部材を押し当てることによって形成できる。
【００４１】
［１−７．反射部材］
図２に示される反射部材５２は、光源５０からの光の配光を制御する部材である。本実施の形態では、反射部材５２は、光源５０からの光を光学部材５４に向けて反射させる。
【００４２】
反射部材５２は、図２に示すように、光源５０からの光が入射される側（図２の上側）の端部から、当該光が出射される側の端部に向かって内径が漸次大きくなるように構成された筒状の形状を有する。反射部材５２の内面において、光源５０からの光が反射される。
【００４３】
反射部材５２は、例えばポリブチレンテレフタレート（ＰＢＴ）など硬質の白色樹脂材料で形成される。なお、反射部材５２は、内面にアルミニウムなどの金属膜が設けられてもよい。
【００４４】
なお反射部材５２は、照明器具１０において必須の構成要素ではない。つまり、照明器具１０は、反射部材５２を備えなくてもよい。
【００４５】
［１−８．光学部材］
図２に示される光学部材５４は、反射部材５２からの光が入射される透光性の部材である。光学部材５４は、反射部材５２から入射した光の配光を制御して出射する機能を有してもよい。本実施の形態では、光学部材５４は円板状のフレネルレンズである。光学部材５４は、反射部材５２からの光を集光し、略円形の断面を有する光を出射する。
【００４６】
光学部材５４は、透光性材料で形成されており、例えばアクリル、ポリカーボネート（ＰＣ）などの透明樹脂材料、又は、ガラス材料などの透明材料で形成される。
【００４７】
［１−９．補助反射部材］
図１及び図２に示される補助反射部材５６は、光学部材５４から出射された光の配光を制御する部材である。補助反射部材５６は、光学部材５４から出射された光のうち、補助反射部材５６の内面に入射した光を、図２の略下方に向けて反射させる。
【００４８】
補助反射部材５６は、例えばＰＢＴなど硬質の白色樹脂材料で形成される。なお、補助反射部材５６は、内面にアルミニウムなどの金属膜が設けられてもよい。
【００４９】
［２．作用及び効果］
本実施の形態に係る照明器具１０の作用及び効果について図面を用いて説明する。
【００５０】
図６は、本実施の形態に係る照明器具１０を造営材に取り付ける際における板バネ８０の形状を示す斜視図である。図７は、本実施の形態に係る照明器具１０を造営材９００に取り付けた状態を示す斜視図である。
【００５１】
図６に示されるように、本実施の形態に係る照明器具１０を造営材９００に取り付ける際には、造営材９００に形成された取付穴９１０に板バネ８０の自由端を挿入するために、板バネ８０を器具本体２０側に向けて変形させる。このように板バネ８０を変形させた状態を維持して、照明器具１０の器具本体２０を取付穴９１０に挿入する。そして、板バネ８０の自由端が取付穴９１０を通過した後、板バネ８０の自由端を解放する。続いて、照明器具１０の固定枠３０の鍔状部２９に造営材９００が当接するまで照明器具１０を取付穴９１０に押し入れる。このようにして、図７に示されるように、照明器具１０を造営材９００に取り付けられる。
【００５２】
ここで、図６に示されるように、照明器具１０を造営材９００に取り付ける際に、板バネ８０を変形させる必要がある。板バネ８０を変形させるために要する力が大きい場合には、板バネ８０の第一板部８１などにも大きい力が加わり、第一板部８１などが塑性変形し得る。これにより、第一板部８１の湾曲形状の曲率半径が増大するため、第一板部８１が設計どおりの力で造営材９００を押すことができなくなる。本実施の形態に係る板バネ８０では、上述のとおり、第一板部８１と第二板部８２とを接続する接続部８３には、接続部８３を厚さ方向に貫通する開口部８４が形成されている。また、接続部８３は、第一板部８１の湾曲形状の曲率半径より小さい曲率半径で屈曲されている。このように接続部８３は、変形させるために要する力を低減できる構成を有する。このため、板バネ８０を図６に示されるような形状に変形させる際に要する力を低減できるため、第一板部８１に加えられる力も低減できる。したがって、第一板部８１の塑性変形を抑制できる。これにより、第一板部８１によって造営材９００を押す力が低下することを抑制できる。
【００５３】
ここで、図面を用いて比較例に係る板バネと対比しながら、本実施の形態に係る板バネ８０の効果を説明する。
【００５４】
図８は、比較例に係る板バネ８８０の外観を示す側面図である。図８には、本実施の形態に係る板バネ８０の外観も破線で示されている。
【００５５】
図８に示されるように、比較例に係る板バネ８８０は、本実施の形態に係る板バネ８０と同様に、取付板部８８８と、第一板部８８１と、第二板部８８２と、接続部８８３と、爪状部８８７とを備える。ただし、図８に示されるように、板バネ８８０は、接続部８８３において折り曲げられている点、つまり、接続部８８３において実質的に曲率半径ゼロで折り曲げられている点において、板バネ８０と相違する。また、図示しないが、接続部８８３は、開口部が形成されていない点においても、板バネ８０と相違する。
【００５６】
ここで、本実施の形態に係る板バネ８０、及び、比較例に係る板バネ８８０を変形させた場合の形状について図面を用いて説明する。
【００５７】
図９は、本実施の形態に係る板バネ８０、及び、比較例に係る板バネ８８０を変形させた場合の外観を示す側面図である。図９においては、板バネ８０及び８８０の側面図が、それぞれ実線及び破線で重ねて示されている。
【００５８】
図９に示されるように、比較例に係る板バネ８８０においては、折り曲げられた接続部８８３を変形させるために要する力が、第一板部８８１を変形させるために要する力と同等以上に大きいため、第一板部８８１にも比較的大きな力が加わる。このため、図９に示されるように板バネ８８０を変形させた場合には、第一板部８８１には、比較的大きい力が加わる。これに伴い第一板部８８１は塑性変形し得る。
【００５９】
一方、本実施の形態に係る板バネ８０においては、接続部８３を変形させるために要する力が、第一板部８１を変形させるために要する力より小さいため、第一板部８１に加わる力は比較的小さい。このため、第一板部８１の塑性変形を抑制できる。
【００６０】
なお、本実施の形態では、板バネ８０の接続部８３に開口部８４を形成する構成と、接続部８３を第一板部８１の湾曲形状の曲率半径より小さい曲率半径で屈曲する構成との両構成を採用しているが、いずれか一方の構成だけを採用してもよい。いずれか一方の構成を採用するだけでも、第一板部８１の塑性変形を抑制することができる。
【００６１】
［３．まとめ］
以上のように、本実施の形態に係る照明器具１０は、造営材９００に形成された取付穴９１０に取り付けられる照明器具１０である。照明器具１０は、光源５０と、光源５０が取り付けられる器具本体２０と、器具本体２０を支持する固定枠３０と、固定枠３０を取付穴９１０に固定する板バネ８０とを備える。板バネ８０は、第一板部８１と、第二板部８２と、第一板部８１及び第二板部８２を接続し、屈曲形状を有する接続部８３とを備え、第一板部８１は、湾曲形状を有し、接続部８３は、第一板部８１の湾曲形状の曲率半径より小さい曲率半径で曲げられている。
【００６２】
このように、接続部８３が第一板部８１の湾曲形状の曲率半径より小さい曲率半径で曲げられていることにより、接続部８３が折り曲げられている場合より、接続部８３を変形させるために要する力を低減できる。したがって、照明器具１０を造営材９００に取り付けるために板バネ８０を変形させる際に、第一板部８１に加わる力を低減できる。これにより、第一板部８１の塑性変形を抑制できるため、第一板部８１によって造営材９００を押す力が低下することを抑制できる。
【００６３】
また、照明器具１０において、接続部８３には、接続部８３を厚さ方向に貫通する開口部８４が形成されていてもよい。
【００６４】
このように、板バネ８０の接続部８３に開口部８４が形成されていることにより、接続部８３を変形させるために要する力をより一層低減できる。
【００６５】
また、照明器具１０において、開口部８４は、板バネ８０の長手方向に沿って延びる長辺８４ａを有してもよい。
【００６６】
これにより、接続部８３における実質的な板幅を板バネ８０の長手方向において略一定とすることができるため、接続部８３を変形させる際に、接続部８３の長手方向の各位置における変形量をほぼ一様にすることができる。つまり、接続部８３が局所的に変形することを抑制できる。
【００６７】
また、照明器具１０において、開口部８４は、板バネ８０の長手方向に沿って延びる角穴であってもよい。
【００６８】
このような形状の開口部８４を形成することで、接続部８３の長手方向の各位置における全幅が一定である場合、接続部８３における実質的な板幅を板バネ８０の長手方向において略一定とすることができるため、接続部８３を変形させる際に、接続部８３の長手方向の各位置における変形量をほぼ一様にすることができる。
【００６９】
（変形例など）
以上、本発明に係る照明器具について、実施の形態に基づいて説明したが、本発明は、上記実施の形態に限定されるものではない。
【００７０】
例えば、上記実施の形態において、開口部８４は、接続部８３全体にわたって形成されたが、接続部８３の一部だけに形成されてもよい。また、開口部８４の形状は、角穴でなくてもよく、例えば、長円状などでもよい。また、開口部８４は、一つでなくもよく、例えば、複数の角穴、複数の丸穴などで構成されてもよい。
【００７１】
また、上記の実施の形態において、光源５０は基台上にＬＥＤチップを直接実装したＣＯＢ構造を有したが、これに限定されない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板に実装した構成である。
【００７２】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）素子や無機ＥＬ等のその他の固体発光素子を用いてもよい。
【００７３】
また、上記の実施の形態における照明器具１０は、天井以外の造営材に取り付けられてもよい。
【００７４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７５】
１０  照明器具
２０  器具本体
５０  光源
８０  板バネ
８１  第一板部
８２  第二板部
８３  接続部
８４  開口部
８４ａ  長辺
９００  造営材
９１０  取付穴
【図１】
2018077993.tif 000003
【図２】
2018077993.tif 000004
【図３】
2018077993.tif 000005
【図４】
2018077993.tif 000006
【図５】
2018077993.tif 000007
【図６】
2018077993.tif 000008
【図７】
2018077993.tif 000009
【図８】
2018077993.tif 000010
【図９】
2018077993.tif 000011